(57)【特許請求の範囲】
【請求項１】
遊技盤の前面に透光性を有する樹脂製カバーを備え、前記樹脂製カバーの内側に前記遊技盤を表裏に貫通する発光体の取付孔を形成し、該取付孔内に挿入した発光体を発光させ該発光体の光を前記樹脂製カバーを通して遊技盤の前面に発するようにした遊技盤の発光体取付構造において、
前記発光体への配線を表面に形成した配線基板に該発光体を固定する取付部を設け、前記配線基板を前記遊技盤に固定した状態で前記取付部に前記発光体を組み付け可能に構成し、
前記取付孔の周囲に前記配線基板を載せる円筒状の基台を設け、前記取付孔と前記基台の穴とは連通し、該基台は前記遊技盤の背面より立設されており、かつ該基台の一部に切欠部を形成し、この切欠部により前記取付孔内に通じる空気流通部を形成し、前記取付孔と前記基台とを連通する穴に前記発光体が挿入されることを特徴とする遊技盤の発光体取付構造。
【請求項２】
前記配線基板が、該配線基板を前記遊技盤に固定する際に前記基台に合わせて位置決めをする突起を有することを特徴とする請求項１に記載の遊技盤の発光体取付構造。
【発明の詳細な説明】
【０００１】
【発明の属する技術分野】
本発明は、遊技盤に設けられている透光性の樹脂製カバーを裏側より照らす発光体の取付構造に関し、特に発光体を挿入するために遊技盤に形成された取付孔に空気流通部を形成し、点灯中の発光体の温度上昇を防止した遊技盤の発光体取付構造に関する。
【０００２】
【従来の技術】
パチンコ機等の遊技盤の前面には、各種のランプ類が取り付けられており、遊技者の興味を増大させる等のため遊技中にこれらランプ類を様々に点滅させている。遊技盤に取り付けられたこのようなランプ類は、遊技盤の前面に取り付けられた樹脂製のカバーの裏側に主に設置され、赤や黄等各色に着色された樹脂カバーを裏側より照らして遊技盤前面の樹脂カバーを様々に発光させるようになっている。又昨今では遊技盤の組み付け作業を簡略化し、同時に部品点数を減少させる等の目的から、配線基板上に複数の電球への通電用配線を形成し、かつそれぞれの電球を配線基板に組み付けるソケット部を配線基板に形成し、遊技盤の所定位置に配線基板を固定すると電球取り付け箇所に電球用のソケット部が形成され、電球をソケット部に取り付けると電球が配線基板に固定されるとともに配線基板上の配線と導通がなされるようにした構造が用いられてきている。
【０００３】
【発明が解決しようとする課題】
しかしながら遊技盤の発光部においては、遊技盤の前面に樹脂カバーが取り付けられ、裏面側には電球の配線基板が固定してあり、その配線基板に形成されたソケット部に電球を取り付けていることから、電球は遊技盤に形成された電球取付孔の内部に密閉された状態となり、点灯中に電球の温度が上昇してしまうという問題があった。遊技盤に取り付けられた電球の温度上昇は、電球のフィラメントを切れやすくしたり、電球の周囲の樹脂部の変色や変形等を引き起こしてしまうおそれがある。
【０００４】
一方、電球によって各色に発光する樹脂カバーは遊技盤の前面に取り付けられていることから、樹脂カバーに放熱用の孔等を明けると内部に取り付けられた電球からの光がその孔を通って直接表面に漏れてしまい外観上好ましくなく、樹脂カバーに放熱用の孔等を設けることはできなかった。
【０００５】
本発明では、上記課題を解決するため、遊技盤の発光体取付構造を次のように構成した。すなわち、１、遊技盤の前面に透光性を有する樹脂製カバーを備え、前記樹脂製カバーの内側に前記遊技盤を表裏に貫通する発光体の取付孔を形成し、該取付孔内に挿入した発光体を発光させ該発光体の光を前記樹脂製カバーを通して遊技盤の前面に発するようにした遊技盤の発光体取付構造において、前記発光体への配線を表面に形成した配線基板に該発光体を固定する取付部を設け、前記配線基板を前記遊技盤に固定した状態で前記取付部に前記発光体を組み付け可能に構成し、前記取付孔の周囲に前記配線基板を載せる円筒状の基台を設け、前記取付孔と前記基台の穴とは連通し、該基台は前記遊技盤の背面より立設されており、かつ該基台の一部に切欠部を形成し、この切欠部により前記取付孔内に通じる空気流通部を形成し、前記取付孔と前記基台とを連通する穴に前記発光体が挿入されるようにした。このように取付孔に空気流通部を設けたことにより、取付孔内の空気を遊技盤の裏側より外部に放出し、電球から発せられる熱を放散させ、取り付けられた電球の過熱を防止できる。また、配線基板を遊技盤に固定した状態で取付部に発光体を組み付け可能にしたので、電球の配線基板への着脱が容易となる。また、基台に設けられた切欠部から電球の熱が外部に放熱され、電球の過熱を防止できる。
【０００６】
２、上記１に記載の遊技盤の発光体取付構造において、前記配線基板が、該配線基板を前記遊技盤に固定する際に前記基台に合わせて位置決めをする突起を有することとした。このように位置決めの突起を設けることによって、配線基板の取付部を容易に遊技盤の基台に一致させることができ、その状態でねじ止めすればよいことから組立作業を確実かつ容易にさせることができる。
【００１０】
尚、遊技盤に用いられる発光体は、電球に限らず、発光ダイオード等でもよい。又、パチンコ機に限らず、スロットマシンその他遊技盤上に発光箇所を有する遊技機であれば、適宜本発明の発光体取付構造をそれらの遊技盤に適用することができる。
【００１１】
【発明の実施の形態】
次に、本発明にかかる遊技盤の発光体取付構造の一実施形態について図を用いて説明する。
【００１２】
図２にパチンコ機の遊技盤を示す。遊技盤３０は、前面にガラス板３２を備え、表面に多数の釘３４と役物３６、入賞口３８等が設けられ、釘３４等により遊技玉の落下通路が形成されている。遊技盤３０の右下部には、玉打ち出し用のハンドル４０が取り付けてあり、ハンドル４０を操作することにより、遊技盤３０に遊技玉が打ち出され、釘３４等に当たりながら落下する。又遊技盤３０の上部、左右側面もしくは遊技盤３０の盤面内に各種の色を発光する発光部Ａが設けられている。
【００１３】
発光部Ａは、図１に示すように所定の色に着色された透光性の合成樹脂からなる樹脂カバー１０と、樹脂カバー１０の内部に取り付けられた電球１２等からなり、内部に取り付けられた電球１２を点灯させることにより樹脂カバー１０を通してそれぞれの色に発光される。尚、電球１２は無色に限らず、着色された電球１２を樹脂カバー１０内に取り付けたものでもよい。
【００１４】
次に、遊技盤３０における電球１２の取付構造について説明する。図１において、遊技盤３０は合成樹脂材からなり、前述したように前面に複数の釘３４、役物３６等を打ちつけるための取付部４２（図３参照）等が裏面側に複数設けられており、又電球１２の取付孔４が遊技盤３０を貫通して形成してある。取付孔４は、電球１２を挿入するに十分な径であり、遊技盤３０に取り付けられる樹脂カバー１０の形状、面積、配置等を考慮して適宜その数や位置等が設定されている。
【００１５】
遊技盤３０の裏面には、基板６がねじ４３により固定してある。基板６は、図３に示すように表面に導電線４４を印刷したプリント配線板で、取付孔４に合わせて電球１２の取付口８が形成してある。電球１２は図５に示すように内部にフィラメントを有するガラス部１４とガラス部１４を保持する基部１６等からなり、基部１６は電球１２を基板６に固定する取り付け構造を有している。基部１６の取り付け構造は、電球１２の手前側（ガラス部１４を先方にし、基部１６を手前に配置して見た状態）に周囲に縁が突出した円板状の台部２４が形成してあり、二か所対称に溝部２６が形成してある。台部２３の溝部２６にはそれぞれ、ガラス部１４内のフィラメントに接続した電線２２が、ガラス部１４側に配線されるように巻きつけてある。又台部２４に連結する円筒部分の側面には、二か所対称に凸部１８が形成してあり、凸部１８の手前側には切り込み２０が形成してある。
【００１６】
一方、基板６の取付口８は図６に示すように基部１６の取り付け構造に対応した形状に形成されている。つまり取付口８は、電球１２の直径より少し大きい径で、両側には凸部１８が通る切り溝２８が形成してあり、凸部１８を切り溝２８に合わせて電球１２を差し込み、ほぼ１／４回転させると凸部１８が基板６に嵌合して固定される。更に取付口８の周縁には、電球１２を点灯させる導電線４４が絶縁膜を塗布せず露出しており、取付口８に電球１２を取り付けると、電球１２の電線２２がそれぞれ導電線４４に導通する。
【００１７】
更に、図１に示すように、遊技盤３０の取付孔４の周囲には、基板６を載せる基台３が形成してあり、基板６は基台３上に載った状態で固定されている。基台３には、図４に示すように上部に切欠５が形成してあり、これにより、空気流通部２が設けられている。尚、基台３は、遊技盤３０と基板６との間に介在させる別体に形成したスペーサを用いて構成してもよい。
【００１８】
したがって、上記電球１２を取り付ける取付構造においては、遊技盤３０に基板６をねじ４３で固定し、その基板６の取付口８に電球１２を取り付けても、基台３に切欠５が設けてあることから空気流通部２が形成され、遊技盤３０の取付孔４の内部は空気流通部２を介して外に連通する。これにより、電球１２の点灯によって発生する熱は、この空気流通部２を通して取付孔４の外部に放出され、電球１２が所定温度以上に過熱されることがない。
【００１９】
次に、電球の取付構造の他の実施形態を図７を用いて説明する。この取付構造は図７に示すように、遊技盤３０に基板６が固定されており、基板６には電球１２を取り付ける取付口９が形成されている。取付口９は、電球１２の取り付け寸法と一致した円形であるが、上方に空気流通部２を形成する切込１１が形成してある。これにより、遊技盤３０の取付孔４の内部が切込１１を介して外と連通し、取付孔４内部の熱を外に放出させることができる。
【００２０】
図８に、取付構造の他の例を示す。図８の基板６は取付口８の周囲に突起１３が形成してある。突起１３は、基台３の内側に沿って形成してあり、基板６を基台３に合わせて位置決めすることができる。これにより、基板６の取付口８を容易に遊技盤３０の取付孔４に一致させることができ、その状態で基板６をねじ止めすればよいことから、組立作業を確実かつ容易にさせることができる。尚、突起１３は周状に形成することはなく、他の取付口８等にも同様な突起１３等を設置して基準とすることができる場合は、一つの突起状でもよい。
【００２１】
以上説明したように、上記電球の取付構造において、電球１２を取り付ける取付孔４に外に通じる空気流通部２が形成されているため、点灯中の電球１２から発生した熱を外部に放出し、取付孔４の内部に溜ることはなく、電球１２の過熱を防止でき、しかも基板６は従来の基板と同様にして取付孔４に合わせてねじで固定するだけであるので、取り付け方法は従来と何等変わることはなく、容易に取り付け作業等を行うことができる。
【００２２】
更に、基板６に基台３と嵌合する突起１３等を形成し、組み付け時に突起１３を基台３に嵌合させるようにすると、基板６の位置決めができ、容易に、かつ確実な位置決め精度で取り付け作業を実施させることができる。
【００２３】
尚、上記例では、電球１２を例に説明したが、本発明では発光体は電球に限ることはなく、発光ダイオード等の他の発光体であってもよい。
【００２４】
【発明の効果】
本発明の発光体の取付構造によれば、遊技盤の前面に透光性の樹脂カバーを備え、樹脂カバーに合わせて遊技盤に発光体の取付孔を形成し、この取付孔に発光体を取り付けて樹脂カバーを照らすようにした遊技盤において、発光体を取り付けた状態で取付孔の内部と外とを連通させる空気流通部を形成したことにより、電球等の発光体を点灯させたことにより生じる熱を空気流通部を介して取付孔の外に放出させることができ、電球の過熱を防止することができる。しかも、空気流通部は遊技盤を成型する際に一体に成型することにより、容易に形成でき、かつ電球の取り付け基板等を取り付ける作業も従来と同様にでき、手間が増加することはない。
【図面の簡単な説明】
【図１】本発明にかかる電球の取付構造の一例を示す断面図である。
【図２】遊技盤を示す正面図である。
【図３】基板を示す斜視図である。
【図４】基台を示す斜視図である。
【図５】電球を示す斜視図である。
【図６】基板の取付口を示す図である。
【図７】基板の他の例を示す図である。
【図８】基板の他の例を示す図である。
【符号の説明】
２  空気流通部
３  基台
４  取付孔
５  切欠部
６  基板
８、９  取付口
１０  樹脂カバー
１１  切込
１２  電球
１３  突起
１４  ガラス部
１６  基部
１８  凸部
２０  切込み
２２  電線
２４  台部
２６  溝部
２８  切り溝
３０  遊技盤
３２  ガラス板
３４  釘
３６  役物
３８  入賞口
４０  ハンドル
４２  取付部
４３  ねじ
４４  導電線
Ａ  発光部
【図１】
0003779433.tif 000002
【図２】
0003779433.tif 000003
【図３】
0003779433.tif 000004
【図４】
0003779433.tif 000005
【図５】
0003779433.tif 000006
【図６】
0003779433.tif 000007
【図７】
0003779433.tif 000008
【図８】
0003779433.tif 000009